(57)【要約】【課題】煩雑さをなくし簡単に操作でき、しかもコンパクトなディジタル画像等の再生装置を提供すること。【解決手段】本発明は、テレビ等のビデオ入力端子に直接接続する接続端子３，４，５を有し、記憶媒体６に記憶された画像データ及び音声データのうち少なくとも一方をテレビに出力している。これにより、配線等の面倒な作業を必要とすることがなくなる。また、記憶媒体６を装着部８に装着し、テレビに接続するだけでテレビ等に画像データ等を出力することができるので、従来のような操作の煩雑さを回避することができる。さらに、テレビの入力端子に直接接続端子３，４，５を接続できる装置のサイズとしたので装置サイズがコンパクトで可搬性に優れたものとなる。【選択図】　図１
2004112030.tif 000002
【特許請求の範囲】
【請求項１】
画像データ及び音声データのうち少なくとも一方を記憶することが可能な記憶媒体が装着可能な装着部と、
前記画像データ及び音声データのうち少なくとも一方を出力可能な外部機器に設けられた入力端子に直接接続することが可能な接続端子と、
前記装着部に装着された記憶媒体から画像データ及び音声データのうち少なくとも一方を読み出し、前記外部機器により出力可能なデータに変換して前記接続端子から出力するデータ出力手段と
を具備することを特徴とする再生装置。
【請求項２】
請求項１に記載の再生装置であって、
前記接続端子は２以上設けられ、これら各接続端子の間隔を可変する手段をさらに具備することを特徴とする再生装置。
【請求項３】
請求項２に記載の再生装置であって、
前記可変手段は、前記各接続端子の間に少なくとも配置された弾性部材を含むことを特徴とする再生装置。
【請求項４】
請求項３に記載の再生装置であって、
前記弾性部材は、前記各接続端子の配列方向とほぼ直交する方向にスリットが形成されていることを特徴とする再生装置。
【請求項５】
請求項１に記載の再生装置であって、
前記外部機器の操作を行うための操作信号を遠隔から送出する遠隔操作装置の当該送信を受信する受信部と、
前記遠隔操作装置からの操作信号を前記外部機器により読み取り可能なデータに変換する手段と、
変換した操作信号を前記接続端子から前記外部機器に出力する手段と
を具備することを特徴とする再生装置。
【請求項６】
請求項１に記載の再生装置であって、
前記接続端子が前記外部機器の入力端子に接続されたとき、または前記装着部に前記記憶媒体が装着されたとき、前記データ出力手段への電力の投入を行うための電源スイッチをさらに具備することを特徴とする再生装置。
【請求項７】
請求項６に記載の再生装置であって、
前記装着部は、前記記憶媒体が挿入可能なスロットを有し、
前記電源スイッチは、前記記憶媒体が前記スロットに挿入される方向と同じ方向に押圧されることで前記電力の投入を行うメカニカルスイッチであることを特徴とする再生装置。
【請求項８】
請求項６に記載の再生装置であって、
前記外部機器の入力端子は、前記接続端子が挿入される穴を有し、
電源スイッチは、前記接続端子が前記穴に挿入される方向と同じ方向に押圧されることで前記電力の投入を行うメカニカルスイッチであることを特徴とする再生装置。
【請求項９】
請求項６に記載の再生装置であって、
前記電源スイッチは、前記データ出力手段に所定時間入力がない場合に前記電力の投入を切断することを特徴とする再生装置。
【請求項１０】
請求項６に記載の再生装置であって、
前記電力を供給するための電源取り付け部をさらに具備することを特徴とする再生装置。
【発明の詳細な説明】
【０００１】
【発明の属する技術分野】
本発明は、例えばディジタルカメラ等により撮像した画像データ等をビデオ出力するための再生装置に関する。
【０００２】
【従来の技術】
最近、ディジタルカメラ等の撮像機器がかなり普及しており、例えばディジタルカメラ等で撮像した画像データ等をパーソナルコンピュータやテレビに出力するなど、撮像した画像を鑑賞、編集等を行うことが一般家庭でできるようになってきている。
【０００３】
【発明が解決しようとする課題】
しかしながら、ディジタルカメラ等で撮像した画像データ等を例えば一般のテレビやパーソナルコンピュータの画面にビデオ出力するためには、ディジタルカメラ側に設けられた出力端子とテレビ側に設けられた入力端子とを配線で接続しなければならない。しかも、例えば画像を一般のテレビに出力した場合、その出力された画像に対して操作を行うには、ディジタルカメラ等に設けられている操作ボタンで操作しなければならず不便である。特に最近では、ディジタルカメラの小型化がよりいっそう進んでいるため、操作ボタンが小さく作られていることもあり操作しづらい。また、ディジタルカメラは撮像機能に関する操作ボタンも設けられているため、利用者にとって操作が分かりづらく、煩雑である。
【０００４】
また、ＤＶＤ（Ｄｉｇｉｔａｌ　Ｖｅｒｓａｔｉｌｅ　Ｄｉｓｃ）等の再生装置であって、可搬性の記憶媒体を挿入してビデオ出力できる装置があるが、このような装置もディジタルカメラ同様に操作が煩雑であり、ＤＶＤ装置は装置サイズや重さ等が大きく不便である。
【０００５】
以上のような事情に鑑み、本発明の目的は、煩雑さをなくし簡単に操作でき、しかもコンパクトなディジタル画像等の再生装置を提供することにある。
【０００６】
【課題を解決するための手段】
上記目的を達成するため、本発明は、画像データ及び音声データのうち少なくとも一方を記憶することが可能な記憶媒体が装着可能な装着部と、前記画像データ及び音声データのうち少なくとも一方を出力可能な外部機器に設けられた入力端子に直接接続することが可能な接続端子と、前記装着部に装着された記憶媒体から画像データ及び音声データのうち少なくとも一方を読み出し、前記外部機器により出力可能なデータに変換して前記接続端子から出力するデータ出力手段とを具備する。
【０００７】
外部機器とは、映像を出力したり、あるいは音声を出力するものであれば何でもよく、例えばテレビや音楽ステレオ機器等のオーディオ・ビジュアル機器が挙げられる。
【０００８】
本発明は、外部機器に直接接続する接続端子を有し、記憶媒体に記憶された画像データ及び音声データのうち少なくとも一方を外部機器に出力しているので、例えば、配線等の面倒な作業を必要とすることがなくなる。また、記憶媒体を装着部に装着し、外部機器に接続するだけで外部機器に画像データ等を出力することができるので、従来のような操作の煩雑さを回避することができる。さらに、外部機器の入力端子に直接接続端子を接続できる装置のサイズとしたので装置サイズがコンパクトで可搬性に優れている。
【０００９】
本発明の一の形態は、前記接続端子は２以上設けられ、これら各接続端子の間隔を可変する手段をさらに具備する。例えば外部機器に設けられた入力端子が２以上ある場合であって、その各入力端子の間隔が例えばメーカーや機種により異なる場合がある。かかる場合であっても、本発明では各接続端子の間隔が可変するため各メーカーや機種に対応して再生装置を接続することができる。可変手段としては、例えば各接続端子の間に少なくとも配置された弾性部材を含む。また、可変手段としては、例えばこれらの接続端子をスライドできるようにして、それをネジ等により止めるようにする手段も含む。
【００１０】
弾性部材としては、例えばゴム等の樹脂やスポンジのような多孔性の部材等が挙げられる。
【００１１】
また、弾性部材に各接続端子の配列方向とほぼ直交する方向にスリットを形成すれば、さらに各接続端子同士の間隔の伸縮性を向上させることができ、外部機器に対する適応性が向上する。
【００１２】
本発明の一の形態は、前記外部機器の操作を行うための操作信号を遠隔から送出する遠隔操作装置の当該送信を受信する受信部と、記遠隔操作装置からの操作信号を前記外部機器により読み取り可能なデータに変換する手段と、変換した操作信号を前記接続端子から前記外部機器に出力する手段とを具備する。本発明では、当該外部機器専用の遠隔操作装置を、本再生装置で画像データ等を再生する際に利用できるので、利便性を向上させることができる。また、例えば本再生装置と外部機器とが異なるメーカー等であって、その外部機器の遠隔操作装置の操作信号を再生装置が読み取ることができない場合であっても、本発明によれば遠隔操作装置を活用できるようになり利便性が増す。
【００１３】
本発明の一の形態は、前記接続端子が前記外部機器の入力端子に接続されたとき、または前記装着部に前記記憶媒体が装着されたとき、前記データ出力手段への電力の投入を行うための電源スイッチをさらに具備する。これにより、利用者は電源スイッチを入れるという物理的な動作を省略することができ、簡便さが増す。
【００１４】
本発明の一の形態は、前記装着部は、前記記憶媒体が挿入可能なスロットを有し、前記電源スイッチは、前記記憶媒体が前記スロットに挿入される方向と同じ方向に押圧されることで前記電力の投入を行うメカニカルスイッチである。またあるいは、本発明の一の形態は、前記外部機器の入力端子は、前記接続端子が挿入される穴を有し、電源スイッチは、前記接続端子が前記穴に挿入される方向と同じ方向に押圧されることで前記電力の投入を行うメカニカルスイッチである。このようなメカニカルスイッチでは簡単な構造で電源スイッチのＯＮまたはＯＦＦを行うことができる。しかも記憶媒体がスロットに挿入される方向と同じ方向に押圧されることで、または、接続端子が入力端子の穴に挿入される方向と同じ方向に押圧されることで電力を投入することができ、人間の直感的な動きに合致したものとなり、さらに簡便さが増す。
【００１５】
本発明の一の形態は、前記電源スイッチは、前記データ出力手段に所定時間入力がない場合に前記電力の投入を切断する。これにより、省電力を図ることができる。
【００１６】
本発明の一の形態は、前記電力を供給するための電源取り付け部をさらに具備する。これにより電源コードやケーブル等の配線を用いる必要がなく、煩雑さを回避することができる。電源は、例えば乾電池や充電式電池を用いることができる。
【００１７】
【発明の実施の形態】
以下、本発明の実施の形態を図面に基づき説明する。
【００１８】
図１は本発明の一実施形態に係る再生装置の斜視図である。また、図２及び図３は、その平面図及び下方からの斜視図である。
【００１９】
この再生装置１は、筐体７の前面７ａに、例えば接続端子３，４，５を有している。例えば接続端子３，４は、音声データを出力する端子であり、接続端子５は画像データを出力する端子である。筐体７の背面７ｂ側には、音声データや画像データを記憶することができる記憶媒体６を装着可能な装着部８が設けられている。この装着部８には記憶媒体の挿入口となるスロット８ａが形成されている。
【００２０】
図３に示すように、筐体７の下面７ｃ側には、この再生装置１に電源を供給するための電源取り付け部として電池ボックス１２が設けられている。電源として例えば乾電池９が着脱できるようになっている。また、背面７ｂには、例えば後述する遠隔操作装置としてのリモコンから送信された信号を受信する受信部１０が設けられ、さらに、ＬＥＤ（Ｌｉｇｈｔ　Ｅｍｉｔｔｉｎｇ　Ｄｉｏｄｅ）ランプ１１が備えられている。ＬＥＤランプ１１は、例えばこの再生装置１に電源が投入され電源スイッチがＯＮ状態となっている場合には、点灯する等の機能を有する。
【００２１】
図４は、この再生装置１のハード構成を示すブロック図である。
【００２２】
再生装置１は、ＣＰＵ１５、ＳＤＲＡＭ（Ｓｙｎｃｈｒｏｎｏｕｓ　Ｄｙｎａｍｉｃ　Ｒａｎｄｏｍ　Ａｃｃｅｓｓ　Ｍｅｍｏｒｙ）１６、ＦｌａｓｈＲＯＭ１７、記憶媒体用コネクタ８（上記装着部）、電源部（Ｐｏｗｅｒ　ｓｕｐｐｌｙ）１９、音声出力端子３，４、映像出力端子５、コンパニオンチップ２２、リモコンの受信部１０を有している。
【００２３】
ＣＰＵ１５は、この再生装置１を統括的に制御するものである。このＣＰＵ１５に、画像データや音声データの圧縮等を行うためのＤＳＰ（Ｄｉｇｉｔａｌ　Ｓｉｇｎａｌ　Ｐｒｏｃｅｓｓｏｒ）を設けてもよい。適用できる圧縮画像の形式として、例えばＪＰＥＧ（Ｊｏｉｎｔ　Ｐｈｏｔｏｇｒａｐｈｉｃ　Ｅｘｐｅｒｔ　Ｇｒｏｕｐ）、ＭＰＥＧ１（Ｍｏｖｉｎｇ　Ｐｉｃｔｕｒｅ　Ｅｘｐｅｒｔ　Ｇｒｏｕｐ　１）、ＧＩＦ（Ｇｒａｐｈｉｃｓ　Ｉｎｔｅｒｃｈａｎｇｅ　Ｆｏｒｍａｔ）、ＰＮＧ（Ｐｏｒｔａｂｌｅ　Ｎｅｔｗｏｒｋ　Ｇｒａｐｈｉｃｓ）等が挙げられるが、これらに限られるわけではない。
【００２４】
ＦｌａｓｈＲＯＭ１７は、例えば後述するリモコン操作のためのプログラム等を記憶している。ＳＤＲＡＭ１６は、作業に必要な記憶スペースである。電源部１９は、例えばフリップフロップ等を含む電源回路を有している。コンパニオンチップ２２は、装着部８に装着された記憶媒体６からディジタル画像データやディジタル音声データを読み出し、例えばテレビ等の外部機器により出力可能なアナログデータに変換して、音声出力端子３，４、映像出力端子５から出力するためのものである。
【００２５】
なお、このような構成以外にも必要なメモリ等を設けるようにしてもよい。
【００２６】
図５は、テレビに再生装置１を接続する形態を示す斜視図である。図に示すように、テレビ３０に設けられた音声入力端子３３，３４及び映像入力端子３５に、それぞれ再生装置１側の端子３，４及び５を接続できるようになっている。３２は、テレビ３０の遠隔操作に用いられるリモコンである。再生装置１は、受信部１０でリモコン３２の送出する操作信号を受信し、受信した操作信号を接続端子３，４，５からテレビ３０側に出力するようになっている。このような制御は、コンパニオンチップ２２により行うことができる。
【００２７】
図６は、再生装置１の接続端子３，４及び５の基端部の拡大断面図である。この接続端子３，４及び５の基端部３ａ，４ａ及び５ａの間にはそれぞれ弾性部材２５が介装されている。これにより、各接続端子３，４及び５の間隔ｐを可変することができるので、テレビ３０が各メーカーや機種によって３３，３４，３５間の間隔が異なる場合であっても、各メーカーや機種に対応して再生装置１を接続することができる。この弾性部材２５としては、例えばゴム等の樹脂やスポンジのような多孔性の部材等が挙げられる。
【００２８】
また、この弾性部材２５の１つ１つには例えば、接続端子３，４及び５の配列方向に直行する方向にスリット２５ａが形成されている。これにより、さらに各接続端子３，４及び５同士の間隔の伸縮性を向上させることができ、テレビ３０に対する適応性が向上する。
【００２９】
図７は、再生装置１の断面図を示す。
【００３０】
筐体７の内部には、例えば上記ＣＰＵ１５等のチップを含むハードユニット４１が設けられ、このハードユニット４１は、例えばスイッチ接触点３９や図示しない回路が形成された基板３６に電気ケーブル３８により接続されている。スイッチ接触点３９は、電池ボックス１２に設けられた電極板４４に対して接触できるようなっている。また、電池ボックス１２の他方の電極４２は、ハードユニット４１に例えば電気ケーブル３７を介して接続されている。
【００３１】
基板３６と筐体７内部に固定されたバネ支持部４３との間には、バネ４０が取り付けられている。このバネ４０は、図示する長さで自然長となっており、例えばバネ４０が収縮することによりスイッチ接触点３９が電極板４４に接触可能となっている。
【００３２】
スイッチ接触点３９が電極板４４に接触することで、電池９からの電力が基板３６を介してハードユニット４１における電源回路等に供給されるようになっている。
【００３３】
このような再生装置１の構成では、例えば、利用者が筐体７を手でつかみ、接続端子３，４，５をそれぞれテレビ等の外部機器の入力端子３３，３４，３５（図５参照）に接続する際、接続端子３，４，５はテレビの入力端子３３，３４，３５からの反力によりバネ４０の付勢力に抗して筐体７側に押圧される。これにより、スイッチ接触点３９が電極板４４に接触しこの再生装置１に電力が投入される。
【００３４】
このように、接続端子３，４，５をテレビ等の入力端子に接続したときにこの再生装置１に電力が投入されるような電源スイッチを設けることで、利用者が電源スイッチを入れるという物理的な動作を省略することができ、簡便なものとなる。
【００３５】
なお、スイッチ接触点３９が電極板４４に接触した後、このような物理的な電源スイッチでＯＮ状態（スイッチ接触点３９が電極板４４に接触している状態）を維持しつづけるために、例えば基板３６にフック状の部位（図示せず）を形成し、このフック状の部位が筐体７に対して係合するような構造を用いればよい。
【００３６】
図８及び図９は、図７に示した再生装置１に係る実施形態とは別の実施形態に係る再生装置１の断面図である。
【００３７】
図８に示す再生装置においては、例えば基板３６に設けられたスイッチ接触点５１と、ハードユニット５２の電気的なインターフェース５２とが接触可能となっている。さらに、基板３６は、電池ボックス１２の電極板４４と電気ケーブル５０により接続されている。
【００３８】
このような再生装置によっても、図７に示す再生装置１と同様の作用効果を奏する。すなわち、例えば、利用者が筐体７を手でつかみ、接続端子３，４，５をそれぞれテレビ等の外部機器の入力端子３３，３４，３５（図５参照）に接続する場合、接続端子３，４，５はテレビの入力端子３３，３４，３５からの反力によりバネ４０の付勢力に抗して筐体７側に押圧される。その結果、スイッチ接触点５１がインターフェース５２に接触しこの再生装置１に電力が投入される。これにより、利用者が電源スイッチを入れるという物理的な動作を省略することができる。
【００３９】
図９に示す再生装置においては、装着部８とハードユニット４１とが一体となって図中左右に移動可能となっている。つまり装着部８とハードユニット４１とは筐体７に固定されていない。ハードユニット５７には、例えばその下部において、バネ５９の一端が取り付けられたバネ取付部材５７が固定されている。バネ５９の他端は筐体７に固定されたバネ支持部５６に支持されている。
【００４０】
基板３６は、筐体７に固定されている点で、図７及び図８に示した再生装置が有する基板３６と異なる。
【００４１】
このように構成された再生装置では、利用者が記憶媒体６を装着部８に挿入するとき、バネ５９の付勢力に抗して装着部８とハードユニット４１と一体となって図中左方向に移動する。その結果、ハードユニット４１の電気的なインターフェース５２がスイッチ接触点５１に接触しこの再生装置１に電力が投入される。本実施形態では、記憶媒体６を装着部８することにより電源が入るので、利用者が電源スイッチを入れるという物理的な動作を省略することができる。
【００４２】
また、この再生装置では、この再生装置の接続端子３，４，５をテレビ側の入力端子に接続したのみでは電源は投入されないが、記憶媒体６を装着部８に装着した時点で始めて電源スイッチがＯＮとすることができる。これにより省電力に寄与する。
【００４３】
さらに図７及び図８に示した再生装置の電源スイッチは、接続端子３，４，５を入力端子３３，３４，３５に挿入するする方向に押圧されることでＯＮとすることができるので、人間の直感的な動きに合致したものとなり、さらに簡便さが増す。図９に示した再生装置の電源スイッチも同様に、記憶媒体６をスロット８ａに挿入する方向に押圧されることでＯＮとすることができるので、同様の効果を得ることができる。
【００４４】
次に、再生装置１を用いて記憶媒体６に記憶された画像データ等を再生する動作について説明する。
【００４５】
図１０及び図１１はその動作を示すフローチャートである。
【００４６】
図１０を参照して、まず、利用者により再生装置１の接続端子３，４，５がテレビ３０の入力端子に接続されると（ステップ１００１）、上述のように電源をＯＮとし（ステップ１００２）、ＬＥＤランプを点灯し（ステップ１００３）、記憶媒体６が装着部８に装着されているかどうかの待ち状態となる（ステップ１００４）。記憶媒体６が装着されていない場合であって、例えば３分を経過した場合、電源をＯＦＦとし、３分が経過していなければ次のステップに進む（ステップ１００５）。
【００４７】
ここで、自動的に電源をＯＦＦにする方法としては、例えば電源回路の制御により電気的なスイッチングにより行うようにしてもよいし、あるいは、図７、図８及び図９に示した機械的な電源スイッチのＯＮ状態を自動的にＯＦＦ状態となるようにしてもよい。
【００４８】
ステップ４で記憶媒体６が装着されると、ＣＰＵ１５はこの記憶媒体６が、利用者がディジタルカメラ等で撮像した画像等のデータが記憶された記憶媒体であるか、それとも、リモコン制御プログラムを記憶した記憶媒体であるかどうかの判断を行う（ステップ１００６）。リモコン制御プログラムについては後述する。
【００４９】
画像等が記憶された記憶媒体である場合には所定の初期画面を表示する（ステップ１００７）。この初期画面は、例えば画像のファイル名が羅列されたものであってもよいし、撮像した画像が縮小化されたアイコン等を配列させたもので、いわゆるサムネール表示であってもよい。
【００５０】
このような初期画面が表示された後、ＣＰＵ１５はリモコン３２の入力操作信号があるかどうかを判断する（ステップ１００８）。リモコン３２の入力操作があり、受信部１０でリモコン３２の入力操作を受信した場合に、ＦｌａｓｈＲＯＭ１７に記憶されたプログラムによりその操作コマンド信号をＣＰＵ１５がテレビ３０に対して制御できる信号に変換する（ステップ１００９´）。この場合、リモコン３２の操作コマンドは例えば「画像の表示」や「画像の停止」等があり、テレビに表示された画像等を、このコマンドに準じて表示したり、停止したりすることができる（ステップ１０１０´）。そして、リモコン３２により「終了」のコマンド入力があれば（ステップ１０１１´）、電源をＯＦＦとする（ステップ１５）。
【００５１】
一方、ステップ１００８においてリモコン３２の入力操作がなく、例えば初期画面の表示（ステップ１００７）から１０秒経過した場合には（ステップ１００９）、自動的にテレビ３０に記憶媒体６に記憶された画像を表示する。あるいは、所定の時間間隔で複数の画像を次々に表示していく、いわゆるスライドショーで表示していくようにしてもよい（ステップ１０１０）。
【００５２】
そして、例えばスライドショーで画像を表示していった場合に最後の画像を表示し終えたら（ステップ１０１１）、その表示を停止し、ＬＥＤランプ１１を点滅させる（ステップ１０１２）。そしてリモコン入力の待ち状態とする（ステップ１０１３）。そしてこの待ち状態が３分以上続けば（ステップ１０１４）、電源をＯＦＦとする（ステップ１０１５）。
【００５３】
次に、ステップ１００６において、記憶媒体６がリモコン制御プログラムが記憶された記憶媒体である場合の動作について説明する。この場合、リモコン３２のコマンドの設定モードに移る（ステップ１００７´）。図１１はこの設定モードにおける動作を示すフローチャートである。
【００５４】
例えばＣＰＵ１５が、リモコン制御プログラムが記憶された記憶媒体が装着部８に装着されたと判断した場合（ステップ１１０１）、例えばテレビ画面にリモコンのコマンド設定用の初期画面を表示する（ステップ１１０２）。このリモコン制御プログラムは、例えば再生装置のメーカーとテレビのメーカーとが異なる場合等に、リモコンの操作信号を再生装置が読み込めるようにするためのプログラムである。
【００５５】
この初期画面では、例えばテレビのメーカー名や機種等とこれらに対応する番号との一覧表のようなものを表示する。そして、利用者はこの画面を見ながら、前記番号に該当するリモコンの操作ボタンを押すことにより、メーカー名等が決定される（ステップ１１０３）。このようにテレビのメーカー名や機種等とこれらに対応する番号との一覧表を表示する代わりに、各メーカー名を１つずつテレビ画面に表示していき、これを見ながらリモコンの所定の操作ボタンを押すことでメーカーを決定できるようにしてもよい。
【００５６】
そして次に、リモコンのコマンドの設定画面をテレビ画面に表示する（ステップ１１０４）。この設定画面において、リモコンのコマンドデータの取り込みを行う（ステップ１１０５）。
【００５７】
一例として、例えばテレビ３０の画面に、リモコン３２等の各コマンドの動作名、例えば「画像の停止」や「画像の再生」等が表示された画面を１画面ずつ順に表示していき、利用者は、そのテレビ画面を見ながら、その各画面に対応させて手に持ったリモコンの各操作ボタンを押して割り当てていくようにする。ここで、例えば、画像データが静止画である場合には、「画像の表示」が「１」のボタン、「画像の停止」が「２」のボタン、ズームイン／アウトが「音量」の「＋」／「−」等を割り当てることができる。一方、画像データが動画である場合、例えば「画像の再生」が「１」のボタン、「画像の停止」が「２」のボタン、「早送り」が「３」のボタン等を割り当てることができる。
【００５８】
このようにして割り当てたコマンドデータを再生装置１が記憶しておく。その結果、リモコン３２により、再生装置１を介してテレビ画面に表示された画像等の各種操作を行うことができるようになる。
【００５９】
以上のように本実施形態では、テレビ専用のリモコンを、再生装置で画像データ等を再生する際に利用できるので、利便性を向上させることができる。また、例えば再生装置とテレビとが異なるメーカー等であって、そのテレビのリモコンの操作信号を再生装置が読み取ることができない場合であっても、そのリモコンを活用できるようになり利便性が増す。
【００６０】
本発明は以上説明した実施形態には限定されるものではなく、種々の変形が可能である。
【００６１】
例えば、上記実施形態では音声出力端子が２本ありステレオ機能を有するテレビに対応した再生装置について説明したが、これに限らず音声出力端子が１本でモノラルに対応する機器についても本発明は適用可能である。
【００６２】
また、外部機器としては、テレビだけでなく、ラジカセ等の音声データのみを出力する外部機器でもよい。
【００６３】
【発明の効果】
以上説明したように、本発明によれば、ディジタルカメラ等により撮像した画像を、テレビ等の外部機器で再生等の操作を行う場合に、煩雑さをなくし簡単に操作できる。また、装置がコンパクトであるので可搬性に優れ便利なものとなる。
【図面の簡単な説明】
【図１】本発明の一実施形態に係る再生装置の斜視図である。
【図２】図１に示す再生装置の平面図である。
【図３】図１に示す再生装置の下方からの斜視図である。
【図４】再生装置のハードウェア構成を示すブロック図である。
【図５】テレビに再生装置を接続する形態を示す斜視図である。
【図６】再生装置の接続端子の基端部を示す拡大断面図である。
【図７】再生装置の断面図の例を示す図である。
【図８】再生装置の断面図の他の例を示す図である。
【図９】再生装置の断面図のさらに別の例を示す図である。
【図１０】記憶媒体に記憶された画像データ等を再生する動作を示すフローチャートである。
【図１１】リモコンのコマンド設定モードにおける動作を示すフローチャートである。
【符号の説明】
１…再生装置
３，４，５…接続端子
６…記憶媒体
８…装着部
９…乾電池
１０…受信部
１１…ＬＥＤランプ
１２…電池ボックス
２２…コンパニオンチップ
２５…弾性部材
２５ａ…スリット
３０…テレビ
３２…リモコン
３３，３４，３５…入力端子
３７…電気ケーブル
３８…電気ケーブル
３９，５１，５２…スイッチ接触点
４０，５９…バネ
【図１】
2004112030.tif 000003
【図２】
2004112030.tif 000004
【図３】
2004112030.tif 000005
【図４】
2004112030.tif 000006
【図５】
2004112030.tif 000007
【図６】
2004112030.tif 000008
【図７】
2004112030.tif 000009
【図８】
2004112030.tif 000010
【図９】
2004112030.tif 000011
【図１０】
2004112030.tif 000012
【図１１】
2004112030.tif 000013